(57)【要約】【課題】  映像を中断したときに、中断した位置にビデオテ−プの頭出しを行うことが可能なビデオデッキの提供を課題とする。【解決手段】  ビデオデッキ１０は、ビデオの再生／録画中に電話機またはインタ−フォンが鳴ったと判断されると、ヘッド系回路６０におけるコントロ−ルヘッドを駆動させ、録画開始時にコントロ−ルトラックに記録される第１のＶＩＳＳ信号とは異なるデュ−ティ比の第２のＶＩＳＳ信号をコントロ−ルトラックに記録させ、所定の操作に応じて、第２のＶＩＳＳ信号が記録されている位置までビデオテ−プの頭出しを行うように構成されている。これにより、電話機の着信があったり、インタ−フォンが鳴ったりしたタイミングで、第２の頭出し信号が自動的に記録されるため、映像の再生中や録画中に、一旦、席を外して戻ってきたときに、見逃してしまった映像の最初の部分まで頭出しを行うことが可能となる。【選択図】  図４
2006121155.tif 000002
【特許請求の範囲】
【請求項１】
ビデオテ−プに記録された映像信号の読み出し、および、同ビデオテ−プに対する映像信号の書き込みを行うビデオデッキにおいて、
上記ビデオテ−プの頭出しを行うための第１の頭出し信号を、上記ビデオテ−プのコントロ−ルトラックに記録する第１の頭出し信号記録手段と、
外部発生音に基づく音声信号を生成するマイクと、
予めサンプリングされた所定の音声の音声信号を記憶しておく音声信号記憶手段と、
上記マイクにより生成された音声信号と、上記音声信号記憶手段に記憶されている音声信号とを比較することにより、上記マイクに入力された音声が上記所定の音声であるか否かを判断し、
上記マイクに入力された音声が上記所定の音声であると判断したときに、上記第１の頭出し信号とデュ−ティ比の異なる第２の頭出し信号を、上記コントロ−ルトラックに記録する第２の頭出し信号記録手段と、
所定の操作に応じて、上記第２の頭出し信号が記録されている位置までビデオテ−プの頭出しを行う頭出し手段と、
上記頭出し手段により第２の頭出し信号に基づくビデオテ−プの頭出しが行われた後、同第２の頭出し信号を上記コントロ−ルトラックから消去する消去手段と
を具備することを特徴とするビデオデッキ。
【請求項２】
ビデオテ−プに記録された映像信号の読み出し、および、同ビデオテ−プに対する映像信号の書き込みを行うビデオデッキにおいて、
上記ビデオテ−プの頭出しを行うための第１の頭出し信号を、上記ビデオテ−プのコントロ−ルトラックに記録する第１の頭出し信号記録手段と、
所定の音声の発生に応じて、上記第１の頭出し信号とデューティ比の異なる第２の頭出し信号を、上記コントロ−ルトラックに記録する第２の頭出し信号記録手段と、
所定の操作に応じて、上記第２の頭出し信号が記録されている位置までビデオテ−プの頭出しを行う頭出し手段と
を具備することを特徴とするビデオデッキ。
【請求項３】
外部発生音に基づく音声信号を生成するマイクと、
予めサンプリングされた上記所定の音声の音声信号を記憶しておく音声信号記憶手段とを具備し、
上記第２の頭出し信号記録手段は、上記マイクにより生成された音声信号と、上記音声信号記憶手段に記憶されている音声信号とを比較することにより、上記マイクに入力された音声が上記所定の音声であるか否かを判断し、
上記マイクに入力された音声が上記所定の音声であると判断したときに、上記第２の頭出し信号を上記コントロ−ルトラックに記録することを特徴とする請求項２に記載のビデオデッキ。
【請求項４】
上記第１の頭出し信号のデューティ比は３：７であり、上記第２の頭出し信号のデューティ比は２：８であることを特徴とする請求項２または３のいずれか１に記載のビデオデッキ。
【請求項５】
上記頭出し手段により第２の頭出し信号に基づくビデオテ−プの頭出しが行われた後、同第２の頭出し信号を上記コントロ−ルトラックから消去する消去手段を具備することを特徴とする請求項２〜４のいずれか１に記載のビデオデッキ。
【発明の詳細な説明】
【技術分野】
【０００１】
本発明は、ビデオテ−プに記録された映像信号の読み出し、および、同ビデオテ−プに対する映像信号の書き込みを行うビデオデッキに関するものである。
【背景技術】
【０００２】
従来、映像の視聴中に、電話や来客等により席を外した場合に、見逃してしまった場面まで映像を巻き戻す制御を行う映像再生装置が知られている（例えば、特許文献１〜４参照）。
【特許文献１】特開平８−２５１１８８号公報
【特許文献２】特開２０００−１５９５６８号公報
【特許文献３】特開２００１−１３９６４０号公報
【特許文献４】特開２００３−１８２８２９号公報
【発明の開示】
【発明が解決しようとする課題】
【０００３】
しかしながら、上述した映像再生装置は、デジタルの映像デ−タが記憶されたＤＶＤ等の記録媒体の再生を行うためのものであり、記録媒体としてビデオテ−プを採用したものではなかった。そのため、従来のビデオデッキにおいては、ビデオテ−プの再生中に電話や来客等があり、途中の映像を見逃してしまった場合には、「早送り」や「巻き戻し」の動作を繰り返し行いながら、目的の映像を探すとうい面倒な操作が必要であった。
【０００４】
本発明は、上記課題にかんがみてなされたものであり、映像を中断したときに、中断した位置にビデオテ−プの頭出しを行うことが可能なビデオデッキを提供することを目的とする。
【課題を解決するための手段】
【０００５】
上記目的を達成するため、請求項２にかかる発明は、ビデオテ−プに記録された映像信号の読み出し、および、同ビデオテ−プに対する映像信号の書き込みを行うビデオデッキにおいて、
上記ビデオテ−プの頭出しを行うための第１の頭出し信号を、上記ビデオテ−プのコントロ−ルトラックに記録する第１の頭出し信号記録手段と、
所定の音声の発生に応じて、第１の頭出し信号とデュ−ティ比の異なる第２の頭出し信号を、上記コントロ−ルトラックに記録する第２の頭出し信号記録手段と、
所定の操作に応じて、上記第２の頭出し信号が記録されている位置までビデオテ−プの頭出しを行う頭出し手段とを具備する構成としてある。
【０００６】
上記のように構成した請求項２において、ビデオデッキは、ビデオテ−プに記録された映像信号の読み出し、および、同ビデオテ−プに対する映像信号の書き込みを行うものテ−プあり、上記ビデオテ−プの頭出しを行うための第１の頭出し信号を、上記ビデオテ−プのコントロ−ルトラックに記録する第１の頭出し信号記録手段を具備している。
【０００７】
また、ビデオデッキは、所定の音声の発生に応じて、上記第１の頭出し信号とデュ−ティ比の異なる第２の頭出し信号を、上記コントロ−ルトラックに記録する第２の頭出し信号記録手段を具備し、また、所定の操作に応じて、上記第２の頭出し信号が記録されている位置までビデオテ−プの頭出しを行う頭出し手段を具備している。このように構成することにより、電話機の着信があったり、インタ−フォンが鳴ったりしたタイミングで、第２の頭出し信号が自動的に記録されるため、映像の再生中や録画中に、一旦、席を外して戻ってきたときに、見逃してしまった映像の最初の部分まで頭出しを行うことが可能となる。
【０００８】
また、請求項３にかかる発明は、外部発生音に基づく音声信号を生成するマイクと、
予めサンプリングされた上記所定の音声の音声信号を記憶しておく音声信号記憶手段とを具備し、
上記第２の頭出し信号記録手段は、上記マイクにより生成された音声信号と、上記音声信号記憶手段に記憶されている音声信号とを比較することにより、上記マイクに入力された音声が上記所定の音声であるか否かを判断し、
上記マイクに入力された音声が上記所定の音声であると判断したときに、上記第２の頭出し信号を上記コントロ−ルトラックに記録する構成としてある。
上記のように構成した請求項３において、予め、自宅の電話機の着信音や、インタ−フォンの音声をサンプリングして音声信号記憶手段に記憶させておくことが可能であり、また、サンプリングした音声以外の音声の発生に基づいて第２の頭出し信号が記録させないようにすることが可能となる。
【０００９】
また、請求項４にかかる発明は、上記第１の頭出し信号のデュ−ティ比が３：７であり、上記第２の頭出し信号のデュ−ティ比が２：８である構成としてある。
上記のように構成した請求項４において、第１の頭出し信号と第２の頭出し信号とのデュ−ティ比の差異に基づいて、個別に頭出しを行うことが可能となる。
【００１０】
また、請求項５にかかる発明は、上記頭出し手段により第２の頭出し信号に基づくビデオテ−プの頭出しが行われた後、同第２の頭出し信号を上記コントロ−ルトラックから消去する消去手段を具備する構成としてある。
上記のように構成した請求項５において、第２のＶＩＳＳ信号に基づく頭出しの指示を行ったときに、何度も同じ場面に頭出しされることがない。利用者にとっては、見逃した場面を一度確認すれば足りるので、このような第２のＶＩＳＳ信号の消去が行われることは、利用者にとって利便性に優れたものとなる。
【発明の効果】
【００１１】
以上説明したように請求項２にかかる発明によれば、映像の再生中や録画中に、一旦、席を外して戻ってきたときに、見逃してしまった映像の最初の部分まで頭出しを行うことが可能となる。
また、請求項３にかかる発明によれば、予め、自宅の電話機の着信音や、インタ−フォンの音声をサンプリングして音声信号記憶手段に記憶させておくことが可能となる。
さらに、請求項４にかかる発明によれば、第１の頭出し信号と第２の頭出し信号とのデュ−ティ比の差異に基づいて、個別に頭出しを行うことが可能となる。
さらに、請求項５にかかる発明によれば、何度も同じ場面に頭出しされることがないため、利用者にとって利便性に優れたものとなる。
【発明を実施するための最良の形態】
【００１２】
以下、下記の順序に従って本発明の実施形態を説明する。
（１）ビデオデッキの構成：
（２）ビデオデッキの動作：
（３）各種変形例：
【００１３】
（１）ビデオデッキの構成：
以下、図面に基づいて本発明の実施形態を説明する。
図１は、実施形態にかかるビデオデッキの構成を示すブロック図である。同図において、ビデオデッキ１０は、チュ−ナ２０を備えており、マイコン３０から送出される所定の選局信号に基づいて所望の放送局からのテレビジョン信号が受信される。このチュ−ナ２０は、信号系回路４０と接続されており、受信されたテレビジョン信号は、信号系回路４０に入力される。ビデオ記録時には信号系回路４０は入力テレビジョン信号を輝度信号と搬送色信号に分離し、これらの信号にはＦＭ変調と低域変換が施され、両者が混合・増幅されて後述するヘッド系回路６０に出力される。信号系回路４０は、Ｄ／Ａ変換回路４１を備えており、入力されるデジタル信号をアナログ信号に変換して上記ヘッド系回路６０に出力する。また、音声信号に関しては、オ−ディオヘッドからの再生信号を再生処理して出力している。
【００１４】
ヘッド系回路６０は、図示しないビデオヘッドやオ−ディオヘッド、コントロ−ルヘッド等からなる磁気ヘッド群と、同磁気ヘッド群の周辺装置にて構成される。この周辺装置にはビデオヘッドが配設されるシリンダや、同シリンダを回転駆動するためのシリンダモ−タ等が含まれる。上述のようにＤ／Ａ変換回路４１が出力する音声信号のアナログ信号は、ヘッド系回路６０のオ−ディオヘッドに入力され、同アナログ信号は音声信号に基づく音声を再生可能な状態で音声トラックに書き込まれる。テープ駆動系回路７０は、実際にテープを走行駆動するリールモータやキャプスタンモータ等にて構成され、同リールモータやキャプスタンモータおよび上述したシリンダモータはサーボ系回路８０により駆動制御される。
【００１５】
マイコン３０は、このサ−ボ系回路８０を介してテ−プ駆動系回路７０を制御して記録／再生時のビデオテ−プ走行を行い、ヘッド系回路６０からの信号に基づいて頭出しのための制御を行うようになっている。また、マイコン３０は、サ−ボ系回路８０を介してヘッド系回路６０およびテ−プ駆動系回路７０を制御し、ビデオ記録時には、ドラムヘッド（図示せず）よって、ビデオテ−プにおけるビデオトラックに映像信号を記録させるとともに、コントロ−ルヘッドによりビデオテ−プにおける音声トラックに音声信号を記録させ、コントロ−ルトラックに第１のＶＩＳＳ信号（第１の頭出し信号）、第２のＶＩＳＳ信号（第２の頭出し信号）およびコントロ−ル信号とを記録させる。
【００１６】
図２は、ビデオテ−プのコントロ−ルトラックに記録される信号を示す図である。同図において、ビデオテ−プにおけるコントロ−ルトラック８０には、コントロ−ル信号９０が、等間隔に記録されている。このコントロ−ル信号９０は、再生時または録画時におけるビデオテ−プの走行速度を制御するためのものである。また、第１のＶＩＳＳ信号９１は、録画開始時にコントロ−ルトラック８０に記録されるものである。第１のＶＩＳＳ信号９１は、頭出しの際に利用され、利用者が操作パネル５１やリモコン５３を使用して頭出し指示を行うと、テ−プ駆動系回路７０は、通常の早送りや巻き戻しと同様にテ−プを走行させる。そして、コントロ−ルヘッドにてこの第１のＶＩＳＳ信号が検出されると、ビデオテ−プの走行を停止させる。この第１のＶＩＳＳ信号９１は、図２に示すように、コントロ−ル信号９０が記録される間隔を、早送り方向（正方向）に向かって、３：７に分割するように記録される。すなわち、第１のＶＩＳＳ信号９１のデュ−ティ比は、３：７となるのである。
【００１７】
また、第２のＶＩＳＳ信号９２も、頭出しの際に利用されるのであるが、この第２のＶＩＳＳ信号９２は、予めサンプリングされた音声（電話機の着信音、インタ−フォンの音声）と同じ音声が発生し、同音声が後述するマイク９０に入力されたときに、自動的に記録される信号である。利用者が、第１のＶＩＳＳ信号９１に基づく頭出しを行う場合とは異なる操作方法を用いて頭出し指示を行うと、テ−プ駆動系回路７０は、ビデオテ−プを走行させ、コントロ−ルヘッドにてこの第２のＶＩＳＳ信号が検出されるとビデオテ−プの走行を停止させるのである。この第２のＶＩＳＳ信号９２は、図２に示すように、コントロ−ル信号９０が記録される間隔を、早送り方向（正方向）に向かって、２：８に分割するように記録される。すなわち、第２のＶＩＳＳ信号９２のデュ−ティ比は、２：８となるのである。
【００１８】
以下、参照図面を図１に戻して説明する。操作パネル５１とリモコン５３とを介して操作指示することにより、ビデオ記録／再生や、予約記録時間帯の入力といった各種の処理を行うことが可能である。すなわち、操作パネル５１における操作内容はマイコン３０によって検出され、マイコン３０が上記チューナ２０の選局制御を行ったり、サーボ系回路８０を駆動して頭出しなどを制御する。また、利用者がリモコン５３上の操作ボタンを押し下げると、押し下げられた操作ボタンに応じた赤外線リモコン信号が送出される。そして、この赤外線リモコン信号をマイコン３０が図示しないリモコン信号受光部を介して受信するとともにその操作内容を検知し、対応した処理を実行する。
【００１９】
マイコン３０は、上述のように操作パネル１１、チューナ２０、信号系回路４０、サーボ系回路８０等を制御するようになっており、ＣＰＵ３１とＥＥＰＲＯＭ３２およびＲＡＭ３３とからなるプログラム実行環境を備えている。すなわち、ＲＡＭ３３を一時的なワ−クエリアとして使用しつつ、ＥＥＰＲＯＭ３２に記録されたプログラムを実行するようになっている。また、ＥＥＰＲＯＭ２３には、着信音デ−タ３２ａとインタ−フォンデ−タ３２ｂとが記憶される。これらのデ−タは、マイク７５に入力された音声（電話機の着信音、インタ−フォンの音声）が、同マイク７５にて音声信号に変換され、更に、同音声信号がデジタルデ−タに変換されたものである。利用者は、予め自宅に設置してある電話機の着信音やインタ−フォンの音声を、マイク７５を用いてサンプリングし、同音声にかかるデジタルデ−タをＥＥＰＲＯＭ３２に登録しておくことが可能となっている。
【００２０】
（２）ビデオデッキの動作：
図３は、マイク７５による音声のサンプリング時にマイコン３０が行う処理のフロ−チャ−トを示している。まず、ステップＳ１００において、音声のサンプリング開始指示があったか否かを判断する。この処理において、ＥＥＰＲＯＭ３２に音声デ−タを記憶させるために、マイク７５によるサンプリングを行う旨の指示の入力があったか否かを判断する。サンプリング開始指示がなかったと判断した場合には、サンプリング処理を終了させる一方、サンプリング開始指示があったと判断した場合には、次に、ステップＳ１１０においてマイク入力受付にかかる処理を行う。すなわち、マイコン３０は、マイク７５が具備するＡ／Ｄ変換回路（図示せず）からのデジタルデ−タの入力待ちとなり、マイク７５の近くにて電話機の着信音等を鳴らすと、その音声に基づく音声信号が同Ａ／Ｄ変換回路にてデジタルデ−タに変換され、マイコン３０に入力される。
【００２１】
ステップＳ１１０の処理を実行すると、次に、ステップＳ１２０において、デジタル変換を行う。すなわち、マイク７５に入力された音声に基づく音声信号を、マイク７５が具備するＡ／Ｄ変換回路にてデジタルデ−タに変換する処理を行うのである。そして、その後、ステップＳ１３０において、変換されたデジタルデ−タ（図２において、着信音デ−タ３２ａ、インタ−フォンデ−タ３２ｂ）をＥＥＰＲＯＭ１３０に記憶させておく処理を行う。
【００２２】
ステップＳ１３０の処理を実行すると、次に、ステップＳ１４０において、マイク入力が終了したか否かを判断する。この処理において、利用者の操作により、マイク入力の受付を終了させる旨の指示の入力があったか否かを判断する。マイク入力が終了していないと判断した場合には処理をステップＳ１１０に戻す一方、終了したと判断した場合には、サンプリング処理を終了させる。
【００２３】
次に、第２のＶＩＳＳ信号記録処理について、図４に示すフロ−チャ−トに基づいて説明する。この第２のＶＩＳＳ信号記録処理は、ビデオデッキ１０が再生または録画にかかる処理を実行しているときに行われる処理である。まず、ステップＳ２００において、マイク入力受付にかかる処理を行う。すなわち、マイコン３０は、マイク７５が具備するＡ／Ｄ変換回路からのデジタルデ−タの入力待ちとなり、マイク７５の近くにて電話機の着信等が鳴ると、その音声に基づく音声信号が同Ａ／Ｄ変換回路にてデジタルデ−タに変換され、マイコン３０に入力される。
次に、ステップＳ２１０において、音声信号比較処理を行う。この処理において、マイク７５に入力された音声に基づくデジタルデ−タと、上述したＥＥＰＲＯＭ３２に予め記憶されているデジタルデ−タとの比較を行う。具体的には、マイク７５に入力された音声に基づくデジタルデ−タと、ＥＥＰＲＯＭ３２に記憶されているデジタルデ−タとの双方の波形の比較を行う。
【００２４】
ステップＳ２１０の処理を実行すると、次に、ステップＳ２２０において、電話機またはインタ−フォンが鳴ったか否かを判断する。この処理において、上述したステップＳ２１０によりデジタルデ−タの波形の比較を行った結果、マイク７５に入力された音声信号に基づくデジタルデ−タの波形が、ＥＥＰＲＯＭ３２に記憶されているデジタルデ−タ（着信音デ−タ３２ａ、および、インタ−フォンデ−タ３２ｂ）のいずれかと同一または類似しているか否かを判断する。ステップＳ２２０において電話機またはインタ−フォンが鳴ったと判断した場合には、続くステップＳ２３０において、第２のＶＩＳＳ信号を記録する処理を行う。この処理において、サ−ボ系回路８０を介してヘッド系回路６０に制御信号を送信し、ヘッド系回路６０のコントロ−ルヘッドに、ビデオテ−プにおけるコントロ−ルトラックに第２のＶＩＳＳ信号を記録させる。このとき、図２に示したように、デュ−ティ比が２：８となるようにＶＩＳＳ信号を記録させて、第１のＶＩＳＳ信号と差別化するのである。
【００２５】
ステップＳ２３０の処理を実行するか、または、上述したステップＳ２２０において電話機またはインタ−フォンが鳴っていないと判断した場合、次に、ステップＳ２４０において再生／録画が終了したか否かを判断する。終了していないと判断した場合には処理をステップＳ２００に戻す一方、終了したと判断した場合には第２のＶＩＳＳ信号記録処理を終了させる。
【００２６】
図４を用いて説明したように、実施形態にかかるビデオデッキ１０では、ビデオの再生／録画中に電話機またはインタ−フォンが鳴ったと判断されると（ステップＳ２２０）、ヘッド系回路６０におけるコントロ−ルトヘッドを駆動させ、第１のＶＩＳＳ信号（デュ−ティ比が３：７）とは異なるデュ−ティ比となるように第２のＶＩＳＳ信号をコントロ−ルトラックに記録する（ステップＳ２３０）。
【００２７】
次に、第２のＶＩＳＳ信号が記録されている位置までビデオテ−プの頭出しを行う処理について、図５を用いて説明する。この処理は、電話機の着信やインタ−フォンからの呼び出しがあったときに席を外した利用者が、中断した場面までビデオテ−プの頭出しを行う旨の指示の入力を行ったときに実行される処理である。
まず、ステップＳ３００において、ビデオテ−プの巻き戻しを行う。すなわち、テ−プ駆動系回路７０に制御信号を送信し、ビデオテ−プの高速巻き戻しを行わせるのである。次に、ステップＳ３１０において、第２のＶＩＳＳ信号を検出したか否かを判断する。この処理において、ヘッド系回路６０のコントロ−ルヘッドにて第２のＶＩＳＳ信号が検出されたか否かを判断する。上述したように、第２のＶＩＳＳ信号は、第１のＶＩＳＳ信号とは異なるデュ−ティ比にてコントロ−ルトラックに記録されるため、この処理において、第１のＶＩＳＳ信号が誤って検出されることはない。
【００２８】
ステップＳ３１０において、第２のＶＩＳＳ信号が検出されていないと判断した場合、処理をステップＳ３００に戻す一方、第２のＶＩＳＳ信号が検出されたと判断した場合には、ステップＳ３２０において、ビデオテ−プの走行を停止させ、続くステップＳ３３０において、第２のＶＩＳＳ信号を消去する処理を行う。すなわち、上述したステップＳ３１０の処理にて検出された第２のＶＩＳＳ信号をコントロ−ルトラックから消去させるのである。ステップＳ３３０の処理を行うと、次に、ステップＳ３４０において、ビデオテ−プの再生処理を行い、第２のＶＩＳＳ信号に基づく頭出し処理を終了させる。
【００２９】
図５を用いて説明したように、実施形態にかかるビデオデッキ１０では、図４に示した第２のＶＩＳＳ信号記録処理にて記録された第２のＶＩＳＳ信号に基づく頭出しが行われた（ステップＳ３００、Ｓ３１０、Ｓ３２０）ときに、同第２のＶＩＳＳ信号がコントロ−ルトラックから消去される。このようにすることにより、第２のＶＩＳＳ信号に基づく頭出しの指示を行ったときに、何度も同じ場面に頭出しされることがない。利用者にとっては、見逃した場面を一度確認すれば足りるので、このような第２のＶＩＳＳ信号の消去が行われることは、利用者にとって利便性に優れたものとなる。
【００３０】
（３）各種変形例：
上述した実施形態では、ビデオデッキがチュ−ナを備えており、放送局からのテレビジョン放送信号を受信し、同テレビジョン放送信号に基づく映像信号を録画することができるように構成されている場合について説明したが、本発明のビデオデッキは、必ずしも上述したチュ−ナを備えている必要はなく、単に、ビデオテ−プを再生する機能のみを有するものであってもよい。
【００３１】
上述した実施形態では、電話機およびインタ−フォンの音声がサンプリングされてデジタルデ−タとしてＥＥＰＲＯＭに記憶される場合について説明したが、本発明においてサンプリングされる音声の種類としては特に限定されるものではない。
また、サンプリングされる音声の種類も実施形態のように２種類に限定されず、１種類でもよく、３種類以上をサンプリング可能なようにビデオデッキが構成されていてもよい。
【００３２】
また、上述した実施形態では、第２のＶＩＳＳ信号に基づく頭出しが行われた後、同第２のＶＩＳＳ信号を消去するように構成されている場合について説明したが（図５参照）、本発明では、必ずしも第２のＶＩＳＳ信号に基づく頭出しが行われた後、同第２のＶＩＳＳ信号を消去する必要はなく、頭出しが行われた後、第２のＶＩＳＳ信号を残しておいてもよい。
【００３３】
以上、説明したように、実施形態にかかるビデオデッキ１０では、ビデオの再生／録画中に電話機またはインタ−フォンが鳴ったと判断されると、ヘッド系回路６０におけるコントロ−ルヘッドを駆動させ、第１のＶＩＳＳ信号とは異なるデュ−ティ比の第２のＶＩＳＳ信号をコントロ−ルトラックに記録させ、所定の操作に応じて、第２のＶＩＳＳ信号が記録されている位置までビデオテ−プの頭出しを行うように構成されている。これにより、電話機の着信があったり、インタ−フォンが鳴ったりしたタイミングで、第２の頭出し信号が自動的に記録されるため、映像の再生中や録画中に、一旦、席を外して戻ってきたときに、見逃してしまった映像の最初の部分まで頭出しを行うことが可能となる。
【図面の簡単な説明】
【００３４】
【図１】実施形態にかかるビデオデッキの構成を示すブロック図である。
【図２】ビデオテ−プのコントロ−ルトラックに記録される信号を示す図である。
【図３】音声のサンプリング時にマイコンが行う処理の流れを示すフロ−チャ−トである。
【図４】第２のＶＩＳＳ信号記録処理の流れを示すフロ−チャ−トである。
【図５】第２のＶＩＳＳ信号に基づく頭出し処理の流れを示すフロ−チャ−トである。
【符号の説明】
【００３５】
１０…ビデオデッキ
２０…チュ−ナ
３０…マイコン
３１…ＣＰＵ
３２…ＥＥＰＲＯＭ
３２ａ…着信音デ−タ
３２ｂ…インタ−フォンデ−タ
３３…ＲＡＭ
４０…信号系回路
４１…Ｄ／Ａ変換回路
５１…テ−プ駆動系回路
５１…操作パネル
５３…リモコン
６０…ヘッド系回路
７０…テ−プ駆動系回路
７５…マイク
８０…サ−ボ系回路
９０…コントロ−ル信号
９１…第１のＶＩＳＳ信号
９２…第２のＶＩＳＳ信号
【図１】
2006121155.tif 000003
【図２】
2006121155.tif 000004
【図３】
2006121155.tif 000005
【図４】
2006121155.tif 000006
【図５】
2006121155.tif 000007